(57)【要約】【課題】保護チューブ等を巻きつけることなく、刺傷による光ファイバ心線１の損傷を防止することが可能なテープドロップケーブルを提供すること。【解決手段】光ファイバ心線１をケーブル外被３で被覆してなるテープドロップケーブルにおいて、ケーブル外被３の外側に、ケーブル外被３との界面を融合させることなく外装被覆４を設ける。【選択図】  図１
2006195110.tif 000002
【特許請求の範囲】
【請求項１】
光ファイバ心線をケーブル外被で被覆してなるテープドロップケーブルにおいて、該ケーブル外被の外側に、該ケーブル外被との界面を融合させることなく外装被覆を設けて刺傷による光ファイバ心線の損傷を防ぐようにしたことを特徴とするテープドロップケーブル。
【請求項２】
前記外装被覆は、前記ケーブル外被より融点の低い材料からなることを特徴とする請求項１記載のテープドロップケーブル。
【請求項３】
光ファイバ心線をケーブル外被で被覆してなるテープドロップケーブルにおいて、前記ケーブル外被の側面に、タブを取り付けたことを特徴とするテープドロップケーブル。
【請求項４】
前記外装被覆の表面から前記光ファイバ心線までの距離、又は前記タブ表面から前記光ファイバ心線までの距離を２ｍｍ以上としたことを特徴とする請求項１又は３記載のテープドロップケーブル。
【発明の詳細な説明】
【技術分野】
【０００１】
本発明は、テープドロップケーブルに係る。より詳細には、最外面と光ファイバ心線との距離を遠くすることにより刺傷による光ファイバの損傷を防止したテープドロップケーブルに関する。
【背景技術】
【０００２】
【特許文献１】特開２００２−９０５９６号公報
【０００３】
ドロップケーブルは、光ファイバー心線とテンションメンバとを同一平面に含むように配置して外被で被覆して構成されている。
【０００４】
テープドロップケーブルを架空で使用する場合、刺傷でケーブル外被が被害を受け、光ファイバ心線が故障に至ることが多発している。刺傷の発生原因は各様であるが、セミが産卵管をドロップケーブルに突き刺すことも主な原因の一つである。すなわち、セミが産卵をするために産卵管をドロップケーブルに突き刺し、内部の光ファイバを傷つける。光ファイバが刺傷を受けると経時的ストレスにより応力が刺傷を受けた部分に集中し、光ファイバが破断に至り故障する。
【０００５】
また、テープドロップケーブルには、光ファイバ心線の取り出しを容易にするために「ノッチ」が設けられる（特許文献１）。しかるに、このノッチ部分において外被は肉厚が薄くなっているため、ノッチを有するドロップケーブルは特に故障が多くなっている。
【０００６】
特許文献１では、ノッチ開口部を、外皮表面で完全に閉口するように剥離可能な材料で塞ぎ、セミがノッチの存在に気付かないようにして、光ファイバ心線の近くに産卵しないようにしている。
【０００７】
しかし、テープドロップケーブルのノッチ部分は、光ファイバ心線を容易に取り出すためのものであり、仮にノッチ部分を無くして外被の厚さと同様にした場合、多心テープドロップケーブル内部の光ファイバ心線がテープ心線のため表面積が広く、セミの産卵管に刺された場合、光ファイバ心線に傷をつける可能性が高くなる。また、光ファイバ心線を取り出すための専用工具等が必要になる。
【０００８】
そこで、これらの対策として、保護チューブ等をドロップケーブルに巻きつけることにより、セミの産卵管に刺されても光ファイバまで産卵管が到達しないようにするといった対策を実施している。
【０００９】
しかし、上記対策の「保護チューブ等をドロップケーブルに巻きつける方法」は、保護チューブを巻きつけた部分には効果があるが、保護チューブ等を巻きつける場所の特定が難しく、また保護チューブ等を巻きつけるための稼動やコスト面から苦慮しているところである。
【発明の開示】
【発明が解決しようとする課題】
【００１０】
本発明は、保護チューブ等を巻きつけることなく、刺傷による光ファイバーの損傷を防止することが可能なテープドロップケーブルを提供することを目的とする。
【課題を解決するための手段】
【００１１】
請求項１に係る発明は、光ファイバ心線をケーブル外被で被覆してなるテープドロップケーブルにおいて、該ケーブル外被の外側に、該ケーブル外被との界面を融合させることなく外装被覆を設けて刺傷による光ファイバ心線の損傷を防ぐようにしたことを特徴とするテープドロップケーブルである。
【００１２】
請求項２に係る発明は、前記外装被覆は、前記ケーブル外被より融点の低い材料からなることを特徴とする請求項１記載のテープドロップケーブルである。
【００１３】
請求項３に係る発明は、光ファイバ心線をケーブル外被で被覆してなるテープドロップケーブルにおいて、前記ケーブル外被の側面に、タブを取り付けたことを特徴とするテープドロップケーブルである。
【００１４】
請求項４に係る発明は、前記外装被覆の表面から前記光ファイバ心線までの距離、又は前記タブ表面から前記光ファイバ心線までの距離を２ｍｍ以上としたことを特徴とする請求項１又は３記載のテープドロップケーブルである。
＜作用＞
【００１５】
（請求項１）
本発明では、ケーブル外被の外側に、ケーブル外被との界面を融合させることなく外装被覆を設けて刺傷による光ファイバ心線の損傷を防ぐようにした。
ケーブル外被にもう一層外装被覆を設けることにより光ファイバ心線を刺傷から保護するものである。外装被覆を設けて肉厚を増加させているため光ファイバ心線までの距離が遠くなり、ケーブル外被が刺傷を受けても光ファイバ心線にまで刺傷は届かない。従って、光ファイバ心線は保護される。例えば、刺傷がセミの産卵管により起こされる場合、ケーブル外被へのセミの産卵管の侵入は許すが、外装被覆を設けることにより光ファイバ心線まで産卵管が到達しないものである。
【００１６】
本発明では、外装被覆とケーブル外被との界面で両者が融合しないようにして外装被覆をケーブル外被の外側に設ける。界面が融合していないため外装被覆は専用工具などを用いることなく容易にケーブル外被から剥離させることができ、既存キャビネット類への把持も可能である。
なお、外装被覆とケーブル外被との界面を融合させないで外装被覆を設けるためには、両者を異なる材料により構成すればよい。
【００１７】
（請求項２）
特に、外装被覆をケーブル外被より融点の低い材料で構成すると、容易に両者の界面に融合させることなく外装被覆を設けることができるため好ましい。ケーブル外被の融点より低い温度で外装被覆をコートすれば界面で融合を生じさせることなく容易に外装被覆をケーブル外被の外側に設けることができる。
【００１８】
（請求項３）
本発明ではケーブル外被の側面に、タブを取り付ける。タブを取り付けることにより光ファイバ心線を刺傷から保護するものである。ドロップ外被は刺傷を受けるが、タブを設けることにより光ファイバ心線までの距離が遠くなり、光ファイバ心線にまで刺傷は届かない。従って、光ファイバ心線は保護される。例えば、刺傷がセミの産卵管により起こされる場合、ドロップ外被へのセミの産卵管の侵入は許すが、タブを取り付けることにより光ファイバ心線まで産卵管が到達しないものである。
【００１９】
タブを取り付けた形状のドロップケーブルは、先端に切り込みを入れることにより専用工具などを用いることなく容易に分離が可能であり、既存キャビネット類への把持も可能である。これらのことから、ケーブル架渉時の作業性等は既存ドロップケーブルと同等であり、セミ対策のための保護チューブ等を巻きつけるといったような特別な作業は必要としない。
なお、タブはケーブル外被と同一材料を用いることが好ましい。
【００２０】
（請求項４）
テープ心線と外装の間を２ｍｍ以上とすることにより、セミの刺傷の一般的な深さ以上となるので、セミの産卵管による刺傷に対する防護が特に有効となる。
セミの産卵管の長さは約１０ｍｍとされている（特許文献１：段落０００９）。本発明者が刺傷跡を鋭意調査したところによれば、刺傷の深さは１０ｍｍではなく、２ｍｍ未満が大半であることが判明した。たまに２ｍｍを超えて約２．３ｍｍの刺傷の深さが見られた。
従って、テープ心線と外装の間を２ｍｍ以上とすればセミの刺傷による光ファイバ心線の損傷の大半を防止することが可能となる。また、２．３ｍｍを超える寸法とすれば全ての損傷を防止できるためより好ましい。なお、テープ心線と外装の間の上限は例えば、２．５ｍｍとすれば外装被覆の肉厚を薄くできるため好ましい。もちろん、肉厚を考慮する必要がなければ２．５ｍｍ以上としてもよいことはいうまでもない。
【発明の効果】
【００２１】
本発明によれば、刺傷が起こるエリア、特にセミ害の発生の恐れのあるエリアにおいて、既存のケーブル架渉方法と同様に施工することができ、セミ害を含めケーブルに外傷を与える恐れのある生物被害からケーブルを守ることが出来る。このため、これまで別工程で実施していた「保護チューブ等をドロップケーブルに巻きつける方法」等の稼動の削減・コストの削減ならびにセミ害による故障数の減少が期待できる。また、セミ害エリアを限定する必要も無く、同一工法により全てのエリアでドロップケーブルの架渉が可能である。
【実施例１】
【００２２】
図１に実施例１に係るテープドロップケーブルを示す。
本例では、光ファイバ心線１をケーブル外被３で被覆してなるテープドロップケーブルにおいて、ケーブル外被３の外側に、ケーブル外被３との界面を融合させることなく外装被覆４を設けてある。
【００２３】
以下より詳細に説明する。
本例では、光ファイバケーブル心線１とテンションメンバ２が平行に配意された同一平面をケーブル外被３で一括被覆している。ケーブル外被３の両側面にはノッチ４ａ，４ｂが設けられている。なお、ケーブル外被３はポリ塩化ビニルやポリエチレンなどのプラスチックである。
【００２４】
ケーブル外被３の外側にタイト構造の外装被覆３０が施されている。外装被覆３０は、ケーブル外被３の材料よりも融点の低い材料を用い、ケーブル外被３と外装被覆３０とが融合しないようにする。従って、専用工具を用いることなく容易に外装被覆３０を剥離することができる。
タイト構造の外装被覆３０は、既存ドロップケーブルの支持線２０とユニット部の接合面のユニット部側に傾斜をもたせるため、振動等による脱落防止機能を有している。
本例では、外装被覆３０の表面から光ファイバケーブル心線１までの距離を２ｍｍ以上としており、外装被覆３０の上から例えばセミの産卵管に刺されても、セミの産卵管が光ファイバケーブル心線１まで届かない構造となっている。そのため、セミの産卵管による刺傷に対する保護に特に有効である。  
【実施例２】
【００２５】
図２実施例２に係るテープドロップケーブルを示す。
本例では光ファイバケーブル心線１をケーブル外被３で被覆してなるテープドロップケーブルにおいて、ケーブル外被３の側面に、タブ４０ａ，４０ｂを取り付けてある。
【００２６】
すなわち、図２に示す例は、光ファイバケーブル心線１とテンションメンバ２が平行に配意された同一平面をケーブル外被３で一括被覆してなる構造のケーブル外被３の両側面にタブ４０を取り付けた形状となっている。
両側面に設けられたタブ４０は、ケーブル外被３の両側面に形成されているノッチ４ａ，４ｂ部付近の１点で接合されている。従って、専用の工具などを用いることなく容易にタブ４０ａ，４０ｂを剥離することができる。
また、本例では、タブ４０ａ，４０ｂのそれぞれの最表面から光ファイバケーブル心線１までの距離を２ｍｍ以上としている。そのため、タブ４０ａ，４０ｂ上からセミの産卵管に刺されても、セミの産卵管が光ファイバケーブル心線まで届かない構造となっている。そのため、セミの産卵管による刺傷に対する保護に特に有効である。
【図面の簡単な説明】
【００２７】
【図１】実施例１に係る外装被覆型テープドロップケーブルの斜視断面図である。
【図２】実施例２に係るタブ型テープドロップケーブルの斜視断面図である。
【符号の説明】
【００２８】
１  光ファイバ心線
２  テンションメンバ
３  ケーブル外被
４ａ，４ｂ  ノッチ
２０  支持線
３０  外装被覆
４０ａ，４０ｂ  タブ
【図１】
2006195110.tif 000003
【図２】
2006195110.tif 000004